(57)【要約】【課題】スペーサが光ディスク記録装置に装填されているかどうか等を検出可能にしたスペーサを提供する。【解決手段】スペーサ４０は透明部材で構成されている。スペーサ４０の凹部５０に、光ディスク１０を、画像形成層１９を下に向けて収容保持する。スペーサ４０の上面には、光ディスク１０のリードイン領域１０Ｃに対応する位置にトラック５８が形成されている。トラック５８には、スペーサであることを識別できる情報が、ピットあるいはディスクウォブルで記録されている。光ディスク１０を装着したスペーサ４０を光ディスク記録装置に装填すると、スペーサ４０のトラック５８が光ピックアップ１２で読み取られ、スペーサ４０が装填されていることが検出される。光ピックアップ１２から出射されるレーザ光２０をスペーサ４０を透過させて光ディスク１０の画像形成層１９に照射することにより、画像形成層１９に可視画像を描画することができる。【選択図】  図１
2007048331.tif 000002
【特許請求の範囲】
【請求項１】
光ディスクをそのレーベル面側を光ピックアップに対面させてターンテーブルにセットし、該光ディスクを回転駆動して、該光ピックアップから出射されるレーザ光を該光ディスクのレーベル面に形成された画像形成層に照射し、該画像形成層の可視光特性を変化させて、該画像形成層に可視画像の形成を行う際に、前記ターンテーブルと前記光ディスクの間に挟んで使用される板状の治具であって、
前記光ディスクの前記画像形成を行おうとする領域よりも内周側の領域であって、リードイン領域およびさらに内周側の領域に対応する領域の少なくとも一部に、前記光ピックアップで検出可能な情報を記録したトラックを形成してなる光ディスクレーベル面画像形成用スペーサ。
【請求項２】
前記情報が、ピットとしてまたはトラックウォブルとして記録されている請求項1記載の光ディスクレーベル面画像形成用スペーサ。
【請求項３】
前記トラックが、前記光ディスクのリードイン領域に対応する領域に形成されている請求項１または２記載の光ディスクレーベル面画像形成用スペーサ。
【請求項４】
前記トラックが、画像形成時に前記光ディスクと対面する側の面に形成され、スペーサの基板が、該トラックが形成されている領域から前記光ディスクの前記画像形成を行おうとする領域に対応する領域にかけて連続して透明に形成され、該トラックの表面に反射膜が形成されている請求項１から３のいずれかに記載の光ディスクレーベル面画像形成用スペーサ。
【請求項５】
前記スペーサの基板の前記透明に形成された領域の屈折率をｎ１、厚さをＬ１とし、前記光ディスクの基板の屈折率をｎ２、データ記録面の表面から反射膜までの距離をＬ２としたときに、ｎ１×Ｌ２＝ｎ２×Ｌ１を満たすように該スペーサの基板の厚さが設定されている請求項４記載の光ディスクレーベル面画像形成用スペーサ。
【請求項６】
外径が前記光ディスクの外径よりも大きく形成され、一面に該光ディスクを収容する凹部が形成され、該凹部を画定する周壁部に、該光ディスクの外周面を中心へ向けて押圧して保持する保持部を具備してなる請求項１から５のいずれかに記載の光ディスクレーベル面画像形成用スペーサ。
【請求項７】
光ディスク基板のレーベル面側にデータ記録層、反射層、画像形成層を順次積層形成した光ディスクについて、前記データ記録層に対するデータの記録および再生と、請求項４記載の光ディスクレーベル面画像形成用スペーサを使用して光ディスクのレーベル面側の前記画像形成層にフォーカスを合わせて画像形成を行うことができる光ディスク記録装置であって、
光ピックアップで検出される情報を解析する情報解析手段と、
光ディスクを装填する動作が実行されたときに、光ディスクのリードイン領域に該当する領域の読み取りを試行し、その結果前記情報解析手段で光ディスクのリードイン領域の情報が解析されたときは、該光ディスクに対するデータの記録または再生を許可し、前記スペーサに記録された情報が解析されたときは、フォーカスサーボをオンしたまま、光ピックアップを光ディスクのプログラム領域へ移動させ、該移動の結果フォーカスロック状態が維持されたときは該光ディスクに対する画像形成を許可し、フォーカスロック状態が外れたときは、該光ディスクに対する画像形成を禁止する制御手段と
を具備してなる光ディスク記録装置。
【発明の詳細な説明】
【技術分野】
【０００１】
この発明は、光ディスクのレーベル面に、光ピックアップから出射されるレーザ光を照射して絵や文字等の可視画像を形成する際に使用されるスペーサ（アダプタ）、および、このスペーサを使用して光ディスクレーベル面に可視画像を形成する光ディスク記録装置に関する。
【背景技術】
【０００２】
光ディスクのレーベル面に感光材料、感熱材料等による画像形成層を形成し、該光ディスクを裏返して（すなわち、レーベル面側を光ピックアップに対面させて）ターンテーブルにセットし、該光ディスクを回転駆動して、光ピックアップから出射されるレーザ光を画像形成層に照射し、該画像形成層の可視光特性を変化させて、レーベル面に画像形成を行う技術が従来より提案されている。例えば、特許文献１には、図２に示すように、光ディスク１０を裏返して（すなわち、レーベル面１０ｂ側を光ピックアップ１２に対面させて）、スピンドルモータ１４の回転軸端部に固定されたターンテーブル１６にセットし、ディスククランパ１７で光ディスク１０をクランプして、スピンドルモータ１４を回転駆動し、光ピックアップ１２の対物レンズ１８から出射されるレーザ光２０をレーベル面１０ｂに形成された画像形成層１９に照射して、該画像形成層１９に画像形成を行う技術が開示されている。
【０００３】
また、特許文献２には、図３に示すように、光ディスク１０の中央クランプ部のレーベル面１０ｂ側に、光ディスク１０と同じ厚さのスペーサ２２を装着し、光ディスク１０を裏返して、スピンドルモータ１４の回転軸端部に固定されたターンテーブル１６にセットし、ディスククランパ１７で光ディスク１０をクランプして、スピンドルモータ１４を回転駆動し、光ピックアップ１２の対物レンズ１８から出射されるレーザ光２０をレーベル面１０ｂに形成された画像形成層１９に照射して、該画像形成層１９に画像形成を行う技術が開示されている。
【０００４】
【特許文献１】特開２００２−２０３３２１号公報
【特許文献２】特開２００３−２０３３４８号公報
【０００５】
図４（ａ）は、図２および図３の光ディスク記録装置において、光ディスク１０（ここではＣＤ−Ｒ／ＲＷディスクの場合を示す。）にデータ記録またはデータ再生を行うときの、光ディスク１０と対物レンズ１８の位置関係を示す。対物レンズ１８は、所定のワーキングディスタンスＷＤ（光ピックアップ毎に定まる、対物レンズ１８と光ディスク１０の対向面間の距離）に相当する空間２４を隔てて、光ディスク１０と対面している。光ディスク１０は、所定厚さ（ＣＤ−Ｒディスクの場合１．２ｍｍ）の基板２６の裏面（レーベル面１０ｂ側の面）に、データ記録層２８、反射層（図示せず）、画像形成層１９、保護層（図示せず）を順次積層して構成されている。光ディスク１０にデータ記録を行いまたは光ディスク１０からデータ再生を行うときは、ディスク１０の表面１０ａ（レーベル面１０ｂと反対側の面、この出願では「データ記録面」という。）側を対物レンズ１８に対面させる。この状態で、対物レンズ１８から出射されたレーザ光２０は、ワーキングディスタンスＷＤに相当する空間２４を介して光ディスク１０のデータ記録面１０ａから入射され、基板２６を透過して、基板２６の裏面に形成されたデータ記録層２８に焦点を結び、データ記録層２８に記録を行い、あるいは、データ記録層２８に記録されている情報の読み取りを行う。
【０００６】
図４（ｂ）は、図２の方法でレーベル面１０ｂに画像形成を行うときの状態を示す。このとき、レーザ光２０が焦点を結ぶべき位置（すなわち、画像形成層１９の位置）は、図４（ａ）のデータ記録または再生時に比べて、基板２６の厚みに相当する空気中での光学距離ｄ（基板２６の厚さ／基板２６の屈折率）分下がるので、対物レンズ１８は、光ディスク１０の対向面（レーベル面１０ｂ）に対し、ワーキングディスタンスＷＤと該光学距離ｄとを加え合わせた距離分（つまり、光学距離ｄだけ余分に）、下方に離れる必要があった。このため、光ディスク１０の面振れが大きい場合には、対物レンズ１８をさらに下方の位置まで移動させる必要が生じ、フォーカス制御の能力が低い場合には、フォーカス制御が不能になって、所望の画像形成ができなくなる場合があった。
【０００７】
図４（ｃ）は、図３の方法でレーベル面１０ｂに画像形成を行うときの状態を示す。このとき、光ディスク１０は、図４（ｂ）の場合に比べて、スペーサ２２の厚み分上方に配置されるので、対物レンズ１８は余分に下方に下がらなくてすみ、その分光ディスク１０の面振れに対するフォーカス制御の追従範囲が拡大される。
【発明の開示】
【発明が解決しようとする課題】
【０００８】
この発明は、光ディスクレーベル面画像形成用の改良したスペーサを提供しようとするもので、スペーサが光ディスク記録装置に装填されているかどうか、スペーサに光ディスクが表裏正しくセットされて光ディスク記録装置に装填されているかどうか、スペーサが光ディスクをセットせずに光ディスク記録装置に装填されていないかどうか等を検出可能にしたものである。また、この発明は、このスペーサを使用して光ディスクレーベル面に画像形成を行う光ディスク記録装置を提供しようとするものである。
【課題を解決するための手段】
【０００９】
この発明の光ディスクレーベル面画像形成用スペーサは、光ディスクをそのレーベル面側を光ピックアップに対面させてターンテーブルにセットし、該光ディスクを回転駆動して、該光ピックアップから出射されるレーザ光を該光ディスクのレーベル面に形成された画像形成層に照射し、該画像形成層の可視光特性を変化させて、該画像形成層に可視画像の形成を行う際に、前記ターンテーブルと前記光ディスクの間に挟んで使用される板状の治具であって、前記光ディスクの前記画像形成を行おうとする領域よりも内周側の領域であって、リードイン領域およびさらに内周側の領域に対応する領域の少なくとも一部に、前記光ピックアップで検出可能な情報を記録したトラックを形成してなるものである。このスペーサによれば、トラックの情報により、スペーサが光ディスク記録装置に装填されているかどうかを検出することができる。
【００１０】
トラックに記録する情報は、例えばピットやトラックウォブルとして記録することができる。また、トラックは、例えば光ディスクのリードイン領域に対応する領域に形成することができる。また、トラックを、画像形成時に光ディスクと対面する側の面に形成し、スペーサの基板を、トラックが形成されている領域から光ディスクの画像形成を行おうとする領域に対応する領域にかけて連続して透明に形成し、該トラックの表面に反射膜を形成することもできる。
【００１１】
また、この発明の光ディスクレーベル面画像形成用スペーサは、例えば、外径を光ディスクの外径よりも大きく形成し、一面に光ディスクを収容する凹部を形成し、該凹部を画定する周壁部に、該光ディスクの外周面を中心へ向けて押圧して保持する保持部を具備したものとして構成することができる。
【００１２】
この発明の光ディスク記録装置は、ピックアップで検出される情報を解析する情報解析手段と、光ディスクを装填する動作が実行されたときに、光ディスクのリードイン領域に該当する領域の読み取りを試行し、その結果前記情報解析手段で光ディスクのリードイン領域の情報が解析されたときは、該光ディスクに対するデータの記録または再生を許可し、前記スペーサに記録された情報が解析されたときは、フォーカスサーボをオンしたまま、光ピックアップを光ディスクのプログラム領域へ移動させ、該移動の結果フォーカスロック状態が維持されたときは該光ディスクに対する画像形成を許可し、フォーカスロック状態が外れたときは、該光ディスクに対する画像形成を禁止する制御手段とを具備してなるものである。
【発明を実施するための最良の形態】
【００１３】
以下、この発明の実施の形態を説明する。始めに、レーベル面に可視画像を描画形成できるようにした光ディスクの構成例を図５〜図７に示す。図５は光ディスク１０をレーベル面１０ｂ側から見た構造を示す。光ディスク１０は、例えばＣＤ−Ｒ，ＣＤ−ＲＷ等のＣＤ規格ディスクで構成されている。光ディスク１０は、基板２６が、ポリカーボネート等の透明基板で、厚さが１．２ｍｍに構成されている。光ディスク１０の中央には中心孔３２が形成されている。中心孔３２のすぐ外周側の部分はディスクを固定するためのクランプエリア３４を構成する。レーベル面１０ｂの、クランプエリア３４よりも外周側の位置とディスク最外周縁部１０ｃの直前位置とで挟まれる領域全体には、感光材料、感熱材料等による画像形成層１９が形成されている。
【００１４】
図６は、図５の光ディスク１０がＣＤ−Ｒディスクである場合の断面構造の一部を拡大して示す。ただし、積層膜の膜厚は誇張して描いている。この光ディスク１０は、ポリカーボネート等の透明基板２６の片面に色素層（データ記録層）２８、反射層３０、画像形成層１９、保護層４６を順次成膜して、全体を一体に構成したものである。画像形成層１９があること以外は通常のＣＤ−Ｒディスクと同じである。レーベル面１０ｂ側からは透明な保護層４６を通して画像形成層１９を望むことができる。データ記録または再生時は、レーザ光をデータ記録面１０ａ側から入射し、反射層３０による反射光を検知してデータ記録層２８に焦点を結ばせて、データの記録または再生を行う。描画時（画像形成時）は、レーザ光をレーベル面１０ｂ側から入射し、反射層３０または画像形成層１９による反射光を検知して画像形成層１９に焦点を結ばせて、描画（画像形成）を行う。
【００１５】
画像形成層１９は、レーベル面１０ｂ側からの所定パワー以上のレーザ光の照射によって、該照射された箇所の、レーベル面１０ｂ側からの可視光特性｛色（色相、明度、彩度）、スペクトラム、反射率、透過率、光散乱等｝が変化するもので、例えば、感光材や感熱材等の色が変化する｛例えば、白から有色（黒等）、透明から有色（黒等）等に変化する｝材料の層（感光層、感熱層等による色変化層）で構成することができる。画像形成層１９を透明あるいは半透明の材料で構成することにより、反射層３０による反射光を検知して、描画時に画像形成層１９にレーザ光の焦点を結ばせることができる。また、画像形成層１９の全面に、反射層３０の表面に通じる多数の微細孔を形成して、反射層３０の表面を望めるようにすることによっても、描画時に画像形成層１９にレーザ光の焦点を結ばせることができる。さらには、画像形成層１９を反射率の高い材料で構成することによっても、描画時に画像形成層１９にレーザ光の焦点を結ばせることができる。なお、光ディスク１０のデータ記録層２８へのデータ記録または再生時は、データ記録面１０ａ側から入射されたレーザ光は、反射層３０でほとんど遮断されるので、画像形成層１９に変化は生じない。
【００１６】
図７は、図５の光ディスク１０がＣＤ−Ｒディスクである場合のデータ記録領域３９（データ記録層２８に対するデータ記録を行える領域）の領域分割レイアウトを示す。データ記録領域３９は、内周側からＰＣＡ領域１０Ａ、ＰＭＡ領域１０Ｂ、リードイン領域１０Ｃ、プログラム領域１０Ｄ、リードアウト領域１０Ｅに分割される。プログラム領域１０Ｄとリードアウト領域１０Ｅの境界位置は、プログラム領域１０Ｄに記録するデータ量によって変動する。画像形成層１９は、図７の例では、データ記録領域３９の全体を覆うように形成されている。なお、後述するようにスペーサのトラックをリードイン領域１０Ｃに相当する領域に形成する場合には、画像形成層１９を、データ記録領域３９全体の内のプログラム領域１０Ｄおよびリードアウト領域１０Ｅに相当する領域のみに形成することもできる。
【００１７】
次に、図５〜図７の光ディスク１０に適合するように構成したこの発明の光ディスクレーベル面画像形成用スペーサの実施の形態を図１に示す。スペーサ４０は、基板（スペーサ基板）４２が、光ディスク１０の基板２６と同じポリカーボネートまたは他の種類の透明プラスチック材料で全体が一体でかつ透明に構成されている。スペーサ基板４２は、平板部４３と、平板部４３の周りを包囲する周壁部４５を具備する。平板部４３は所定の厚みを有し光ディスク１０よりも外径がわずかに大きい円盤状に構成されている。平板部４３の上面４３ａおよび下面４３ｂは平坦面に形成されている。平板部４３の中心軸Ｌ上の位置には、光ディスク１０の中心孔３２（図５）と同じ内径を有し、光ディスク１０が装着されたときに光ディスク１０の中心孔３２と連続した円形の孔を形成する中心孔４４が形成されている。平板部４３の厚さＬ１は、その屈折率をｎ１とし、装着する光ディスク１０の基板の屈折率をｎ２、その厚さをＬ２としたときに、ｎ１×Ｌ２＝ｎ２×Ｌ１を満たすように設定されている。したがって、スペーサ基板４２を光ディスク１０の基板と同じ材料で構成する場合には、スペーサ基板４２の厚さＬ１は光ディスク１０の基板の厚さＬ２と等しく設定する。
【００１８】
スペーサ基板４２の平板部４３の周りを円環状に包囲する周壁部４５は、平板部４３の上面４３ａ上に光ディスク１０の厚さよりも高く形成されている。この周壁部４５により、平板部４３上に、光ディスク１０を収容する凹部５０が形成されている。また、スペーサ基板４２は、全体を一体成型で構成するほか、周壁部４５と平板部４３を別々に成型し（この場合、周壁部４５は透明である必要はない）、両者を貼り合わせて一体化することもできる。
【００１９】
凹部５０を画定する周壁部４５の、中心軸Ｌを挟んで相互に対向する位置には、周壁部４５の一部を両持ち支持の弓状に切り出した構造を有する一対の保持部５４，５６が構成されている。保持部５４，５６に径方向外方向（図１中に矢印Ｂで示す方向）への力を加えると、保持部５４，５６はその材料自身の弾性力により撓んで、同方向に微少量動くことができる。保持部５４，５６の互いに対向する端面５４ａ，５６ａは、斜め下方向に向いた傾斜面として構成されている。端面５４ａ，５６ａ間の距離は、光ディスク１０の外径よりも微少量小さく設定されている。このような構造により、保持部５４，５６を手で押し広げて、光ディスク１０をレーベル面１０ａを下側にして凹部５０に収容し、保持部５４，５６から手を離せば、保持部５４，５６の弾性力により、保持部５４，５６の傾斜した端面５４ａ，５６ａが光ディスク１０の外周面の上部角部に押圧当接する。これにより、光ディスク１０は保持部５４，５６から斜め下方に向かう押圧力を受ける。その結果、光ディスク１０は、レーベル面１０ｂが平板部４３の上面４３ａに押圧当接した状態で、スペーサ４０に相対回転不能に同軸状に保持される。保持部５４，５６を再び手で押し広げれば、光ディスク１０をスペーサ４０から外すことができる。
【００２０】
平板部４３の上面４３ａの中心孔４４の周りの位置には、光ディスク１０のリードイン領域１０Ｃ（図７）に対応する位置に、トラック５８が円環状に形成されている。図８はスペーサ４０のトラック５８付近を拡大して模式的に示したものである。トラック５８は、スペーサ基板４２の平板部４３の上面４３ａを凹状に形成したピットまたはウォブル（蛇行）グルーブからなるトラックで構成されている。トラックピッチ（隣接するトラック５８相互の間隔）は、光ディスク１０のデータ記録領域３９のトラックピッチと同等である。トラック５８を構成するピットまたはウォブルグルーブには光ピックアップで検出し解析可能な情報が含まれている。トラック５８をピットで構成する場合は、この情報は光ディスク１０のリードイン領域１０Ｃに記録するフォーマットのＥＦＭ信号で構成され、このＥＦＭ信号中にスペーサであることを識別できる情報を、例えばサブコードの未定義コードを用いて記録する。また、トラック５８をウォブルグルーブで構成する場合は、この情報は光ディスク１０のリードイン領域１０Ｃに記録するフォーマットのＡＴＩＰ信号で構成され、このＡＴＩＰ信号中にスペーサであることを識別できる情報を、例えばＡＴＩＰ信号の未定義コードを用いて記録する。トラック５８の上には金属反射膜６２が被覆され、さらにその上に透明の保護膜６４が被覆されている。
【００２１】
次に、光ディスク１０のデータ記録層２８に対するデータの記録および再生と、スペーサ４０を使用して光ディスク１０の画像形成層１９に画像形成を行えるようにしたこの発明の光ディスク記録装置の実施の形態を図９に示す。図９は画像形成時の状態を示す。このとき、光ディスク１０はレーベル面１０ｂ側を下にしてスペーサ４０に装着されて（図１参照）一体化される。このように一体化された組合せ体６６を、スペーサ４０を光ピックアップ１２側に配置して、その連通する中心孔４４，３２にターンテーブル１６の中央凸部１６ａを挿入して、ターンテーブル１６の受け部１６ｂに載置し、さらに上方からディスククランパ１７を押し当ててクランプする。このとき、光ディスク１０およびスペーサ４０の中心軸Ｌは、ターンテーブル１６の回転軸に一致している。この状態で、スピンドルモータ１４により組合せ体６６を回転駆動し、光ピックアップ１２の対物レンズ１８からレーザ光２０を出射し、フォーカス制御により光ディスク１０の画像形成層１９に焦点を結ばせて絵や文字等の画像の描画を行うことができる。
【００２２】
光ディスク１０のデータ記録層２８に対するデータの記録または再生時は、光ディスク１０単体でデータ記録面１０ａ側を下にして、その中心孔３２にターンテーブル１６の中央凸部１６ａを挿入して、ターンテーブル１６の受け部１６ｂに載置し、さらに上方からディスククランパ１７を押し当ててクランプする。このとき、光ディスク１０の中心軸は、ターンテーブル１６の回転軸に一致している。この状態で、スピンドルモータ１４により光ディスク１０を回転駆動し、光ピックアップ１２の対物レンズ１８からレーザ光２０を出射し、フォーカス制御により光ディスク１０のデータ記録層２８に焦点を結ばせてデータの記録または再生を行うことができる。
【００２３】
図９において、記録信号生成手段６８は、外部記憶装置等から供給される記録データに基づき、光ディスク１０のデータ記録層２８に記録する記録信号を生成する。画像信号生成手段７０は、外部記憶装置等から供給される画像データに基づき、光ディスク１０の画像形成層１９に描画する画像信号を生成する。切換手段７２は、記録データと画像データを切り換えて出力する。情報解析手段７４は、光ピックアップ１２で検出される情報を解析する。データ再生手段７６は、光ディスク１０のデータ再生時に、情報解析手段７４で解析された情報を外部に出力する。制御手段７８は、本光ディスク記録装置に光ディスクを装填する動作が実行されたときに、光ディスク１０のリードイン領域１０Ｃに該当する領域の読み取りを試行し、情報解析手段７４による解析結果に応じて各種の制御を行う。
【００２４】
制御手段７８の制御内容を図１０にフローチャートで示す。ディスク装填動作の完了が検知されたら（Ｓ１）、光ピックアップ１２を光ディスク１０のリードイン領域１０Ｃに該当する領域へ移動させる（Ｓ２）。この移動が完了したら、対物レンズ１８を強制的に上下方向に往復運動させてフォーカスサーチを行い（Ｓ３）、所定時間内または所定往復回数内にフォーカスエラー信号のＳカーブが得られたかどうかを判断する（Ｓ４）。その結果、Ｓカーブが得られなかったときは、エラーと判断し（Ｓ５）、フォーカスサーチを終了し、光ピックアップ１２を初期位置に戻し、ディスク排出動作を行い、制御を終了させる。
【００２５】
一方、Ｓカーブが得られ、フォーカスロック状態に引き込めたときは、そのままトラッキングサーボをオンし（Ｓ６）、所定時間内にトラックの捕獲に成功したかどうかを判断する（Ｓ７）。その結果、所定時間内にトラックを捕獲できなかったときは、エラーと判断し（Ｓ８）、トラッキングサーボおよびフォーカスサーボをオフし、光ピックアップ１２を初期位置に戻し、ディスク排出動作を行い、制御を終了させる。一方、トラックの捕獲に成功したときは、光ピックアップ１２による光ディスク１０のリードイン領域１０Ｃに該当する領域の検出信号から、情報解析手段７４でＥＦＭ信号およびＡＴＩＰ信号をデコードする（Ｓ９）。
【００２６】
制御手段７８は、デコードされた情報が光ディスク１０のリードイン領域１０Ｃの情報であるか、あるいは、スペーサ４０のトラック５８の情報であるか（すなわち、スペーサ４０であることを識別できる情報が含まれているか）を判断する（Ｓ１０）。そして、制御手段７８は、デコードされた情報が光ディスク１０のリードイン領域１０Ｃの情報であると判断した場合は、図１１（ａ）に示すように、光ディスク１０が単体でデータ記録面１０ａ側を下にして装填されているものと判断して、切換手段７２を記録信号生成手段６８側に切り換える等、本光ディスク記録装置を、データ記録層２８に対するデータの記録または再生を行える状態に設定する（Ｓ１１）。
【００２７】
一方、制御手段７８は、デコードされた情報にスペーサ４０であることを識別できる情報が含まれていた場合は、フォーカスサーボをオンしたまま、光ピックアップ１２を光ディスク１０のプログラム領域へ移動させる（Ｓ１２）。制御手段７８は、この移動の結果、フォーカスロック状態が維持されたかあるいは外れたかを判断する（Ｓ１３）。すなわち、スペーサ４０に対し光ディスク１０が図１１（ｂ）に示すように、正しく装着されている場合は、スペーサ４０のトラック５８に形成されている金属反射膜６２（図８）と、光ディスク１０の反射層３０（図６）とは、接近した高さ位置にあるので、光ピックアップ１２の移動によりレーザ光２０の焦点がスペーサ４０のトラック５８の最外周位置から外れた時にフォーカスサーボが一瞬乱れても、フォーカスロック状態が外れるまでには至らず、直ぐに光ディスク１０の反射層３０に焦点を合わせ直すことができるので、フォーカスロック状態が維持される。したがって、フォーカスロック状態が維持されたときは、制御手段７８は、図１１（ｂ）のように、スペーサ４０に対し光ディスク１０が正しく装着されているものと判断して、切換手段７２を画像信号生成手段７０側に切り換える等、本光ディスク記録装置を、画像形成層１９に対する描画を行える状態に設定する（Ｓ１４）。この状態で、レーザ光２０をスペーサ４０を透過して光ディスク１０の画像形成層１９に照射して、描画を行うことができる。なお、前述のように、スペーサ４０の平板部４３の厚さＬ１は、その屈折率をｎ１とし、装着する光ディスク１０の基板の屈折率をｎ２、そのデータ記録面１０ａから反射膜までの距離をＬ２としたときに、ｎ１×Ｌ２＝ｎ２×Ｌ１を満たすように設定されているので、画像形成層１９に対する描画時のワーキングディスタンスＷＤ（図１１（ｂ））は、データ記録層２８に対するデータの記録または再生時のワーキングディスタンスＷＤ（図１１（ａ））と同等になる。
【００２８】
一方、上記移動の結果、フォーカスロック状態が外れたときは、制御手段７８は、図１１（ｃ）に示すように、光ディスク１０が装着されずにスペーサ４０が装填されたか、あるいは、図１１（ｄ）に示すように、光ディスク１０が誤ってレーベル面１０ｂ側を上にしてスペーサ４０に装着して装填されたものと判断して、エラーと判断し（Ｓ１５）、ディスク排出動作を行い、制御を終了させる。
【００２９】
以上のようにして、図９の光ディスク記録装置によれば、スペーサ４０が装填されているかどうか、スペーサ４０に光ディスク１０が表裏正しくセットされて装填されているかどうか、スペーサ４０が光ディスク１０をセットせずに装填されていないかどうか等を検出して、光ディスク１０のデータ記録層２８に対するデータの記録および再生と、スペーサ４０を使用して光ディスク１０の画像形成層１９の全領域の内、スペーサ４０のトラック５８よりも外周側の領域に対応する領域、すなわち、光ディスク１０のリードイン領域１０Ｃよりも外周側の領域に画像形成を行うことができる。
【００３０】
なお、前記実施の形態では、スペーサ４０に形成するトラック５８を、光ディスク１０のリードイン領域１０Ｃに対応する領域に形成したが、それ以外の領域（例えば、図７のＰＣＡ領域１０Ａ、ＰＭＡ領域１０Ｂ等に対応する領域）にトラック５８を形成することもできる。ＰＣＡ領域１０Ａに対応する領域にトラック５８を形成した場合には、ＰＣＡ領域１０Ａよりも外周側の領域に画像形成を行うことができる。ＰＭＡ領域１０Ｂに対応する領域にトラック５８を形成した場合には、ＰＭＡ領域１０Ｂよりも外周側の領域に画像形成を行うことができる。また、トラック５８をＰＣＡ領域１０Ａ〜リードイン領域１０Ｃに対応する領域全体に形成することもできる。
【００３１】
また、前記実施の形態では、トラック５８をスペーサ４０の光ディスク１０に対面する側の面（上面４３ａ）に形成したが、光ピックアップ１２の対物レンズ１８が十分に下方に移動できるものであれば、反対側の面（下面４３ｂ）にトラック５８を形成することもできる。また、前記実施の形態では、スペーサ４０を、光ディスク１０の画像形成を行う領域を覆うものとして構成したが、画像形成を行う領域を覆わない小径のものとして構成し、その上面または下面にトラックすることもできる。また、前記実施の形態では、この発明をＣＤ規格の光ディスクおよび光ディスク記録装置に適用した場合について説明したが、ＤＶＤ規格その他の規格の光ディスクおよび光ディスク記録装置に適用することもできる。
【００３２】
また、前記実施の形態では、スペーサ４０のトラックに、スペーサであることを識別できる情報を記録したが、別の有用な情報（例えば、アプリケーションプログラム等）を記録することもできる。
【図面の簡単な説明】
【００３３】
【図１】図５〜図７の光ディスクに適合するように構成したこの発明の光ディスクレーベル面画像形成用スペーサの実施の形態を示す平面図および断面図である。
【図２】スペーサを使用しない従来の画像形成方法を示す側面図である。
【図３】スペーサを使用した従来の画像形成方法を示す側面図である。
【図４】（ａ）は、図２および図３の光ディスク記録装置において、光ディスクにデータ記録またはデータ再生を行うときの、光ディスクと対物レンズの位置関係を示す側面図、（ｂ）は、図２の方法でレーベル面に画像形成を行うときの、光ディスクと対物レンズの位置関係を示す側面図、（ｃ）は、図３の方法でレーベル面に画像形成を行うとき、光ディスクと対物レンズの位置関係を示す側面図である。
【図５】レーベル面に可視画像を描画形成できるようにした光ディスクの構成例を示す平面図である。
【図６】図５の光ディスク１０がＣＤ−Ｒディスクである場合の断面構造の一部を拡大して示す断面図である。
【図７】図５の光ディスク１０がＣＤ−Ｒディスクである場合のデータ記録領域３９の領域分割レイアウトを示す断面図である。
【図８】図１のスペーサ４０のトラック５８付近を拡大して示した模式断面図である。
【図９】図５〜図７の光ディスク１０のデータ記録層２８に対するデータの記録および再生と、図１、図８のスペーサ４０を使用して光ディスク１０の画像形成層１９に画像形成を行えるようにしたこの発明の光ディスク記録装置の実施の形態を示すブロック図である。
【図１０】図９の制御手段７８の制御内容を示すフローチャートである。
【図１１】図１０の制御による動作内容を示す動作説明図である。
【符号の説明】
【００３４】
１０…光ディスク、１０ａ…データ記録面、１０ｂ…レーベル面、１０Ｃ…リードイン領域、１２…光ピックアップ、１６…ターンテーブル、１９…画像形成層、２０…レーザ光、２８…データ記録層、３０…反射層、４０…スペーサ（光ディスクレーベル面画像形成用スペーサ）、４２…スペーサ基板（スペーサの基板）、４５…周壁部、５０…凹部、５４，５６…保持部、５８…トラック、６２…反射膜、７４…情報解析手段、７８…制御手段。
【図１】
2007048331.tif 000003
【図２】
2007048331.tif 000004
【図３】
2007048331.tif 000005
【図４】
2007048331.tif 000006
【図５】
2007048331.tif 000007
【図６】
2007048331.tif 000008
【図７】
2007048331.tif 000009
【図８】
2007048331.tif 000010
【図９】
2007048331.tif 000011
【図１０】
2007048331.tif 000012
【図１１】
2007048331.tif 000013